(57)【要約】【課題】微小なドットや細いラインでも画像濃度の低下を抑制できる画像形成装置を提供する。【解決手段】単層のトナーを担持した現像ローラ３３を感光ドラム１に当接して、現像ローラ３３を白地領域の第１電位と黒地領域の第２電位との中間の第３電位に保持して感光ドラム１の静電潜像をトナー像に現像する。白地領域に囲まれた黒ドットの電位と第３電位の電位差をＶｃｏｎｔ＿１とし、黒字領域に囲まれた白ドットの電位と第３電位の電位差をＶｂａｃｋ＿１とするとき、｜Ｖｃｏｎｔ＿１｜  ＞  ｜ｑｍ｜・ｍ０（（ｄ１／ε１）＋（ｄ２／２ε２））の関係が画像形成で使用される最小直径の黒ドットにおいて成立し、かつ、｜Ｖｂａｃｋ＿１｜  ＞  （｜ｑｍ｜・ｍ０・ｄ２）／２ε２の関係が画像形成で使用される最小直径の白ドットにおいて成立している。【選択図】図２
2017083673.tif 000002
【特許請求の範囲】
【請求項１】
感光層を有する感光体と、
前記感光体を第１電位に帯電した後に露光して露光部を第２電位まで除電させることにより前記感光体に静電潜像を形成する静電潜像形成手段と、
前記感光体に当接して回転する現像剤担持体を有し、前記現像剤担持体に前記第１電位と前記第２電位との中間の第３電位の電圧を印加して前記静電潜像をトナー像に現像する現像手段と、を備え、
前記潜像形成手段により形成された画像の解像度は、１２００ｄｐｉ以上であり、
前記静電潜像における白地領域に囲まれた黒ドットの電位と前記第３電位の電位差をＶｃｏｎｔ＿１とし、前記静電潜像における黒地領域に囲まれた白ドットの電位と前記第３電位の電位差をＶｂａｃｋ＿１とし、前記感光層の膜厚をｄ１［ｍ］とし、前記感光層の誘電率をε１［Ｆｍ］とし、前記トナー像の厚さをｄ２［ｍ］とし、トナーの誘電率をε２［Ｆｍ］とし、トナーの比電荷をｑｍ［Ｃ／ｋｇ］とし、単位面積当たりのトナー質量をｍ０［ｋｇ／ｍ２］としたとき、
｜Ｖｃｏｎｔ＿１｜  ＞  ｜ｑｍ｜・ｍ０（（ｄ１／ε１）＋（ｄ２／２ε２））
である第１の関係が画像形成で使用される最小直径の前記黒ドットにおいて成立し、かつ、
｜Ｖｂａｃｋ＿１｜  ＞  （｜ｑｍ｜・ｍ０・ｄ２）／２ε２
である第２の関係が画像形成で使用される最小直径の前記白ドットにおいて成立していることを特徴とする画像形成装置。
【請求項２】
感光層を有する感光体と、
前記感光体を第１電位に帯電した後に露光して露光部を第２電位まで除電させることにより前記感光体に静電潜像を形成する静電潜像形成手段と、
単層のトナーを担持して前記感光体に当接して回転する現像剤担持体を有し、前記現像剤担持体に前記第１電位と前記第２電位との中間の第３電位の電圧を印加して前記静電潜像をトナー像に現像する現像手段と、
前記現像剤担持体に担持されたトナーの比電荷を調整可能な電荷調整手段と、
前記第１電位と前記第２電位と前記第３電位とのうち少なくとも１つを調整可能な電位調整手段と、を備え、
前記潜像形成手段により形成された画像の解像度は、１２００ｄｐｉ以上であり、
前記静電潜像における白地領域に囲まれた黒ドットの電位と前記第３電位の電位差をＶｃｏｎｔ＿１とし、前記静電潜像における黒地領域に囲まれた白ドットの電位と前記第３電位の電位差をＶｂａｃｋ＿１とし、前記感光層の膜厚をｄ１［ｍ］とし、前記感光層の誘電率をε１［Ｆｍ］とし、前記トナー像の厚さをｄ２［ｍ］とし、トナーの誘電率をε２［Ｆｍ］とし、トナーの比電荷をｑｍ［Ｃ／ｋｇ］とし、単位面積当たりのトナー質量をｍ０［ｋｇ／ｍ２］としたとき、
｜Ｖｃｏｎｔ＿１｜  ＞  ｜ｑｍ｜・ｍ０（（ｄ１／ε１）＋（ｄ２／２ε２））
である第１の関係が画像形成で使用される最小直径の前記黒ドットにおいて維持され、かつ、
｜Ｖｂａｃｋ＿１｜  ＞  （｜ｑｍ｜・ｍ０・ｄ２）／２ε２
である第２の関係が画像形成で使用される最小直径の前記白ドットにおいて維持されるように、前記電荷調整手段と前記電位調整手段とのうちの少なくとも１つを制御する制御部と、を備えることを特徴とする画像形成装置。
【請求項３】
前記現像剤担持体に担持されたトナーの比電荷を検知可能な電荷検知手段を備え、
前記制御部は、前記電荷検知手段の出力に基づいて、前記第１の関係が前記黒ドットにおいて維持され、かつ、前記第２の関係が前記白ドットにおいて維持されるように、前記電荷調整手段と前記電位調整手段とのうちの少なくとも１つを制御することを特徴とする請求項２に記載の画像形成装置。
【請求項４】
トナーとキャリアを混合しつつ攪拌してトナーを帯電させる攪拌部と、
前記攪拌部で帯電させたトナーとキャリアを前記現像剤担持体に磁気的に担持させる担持手段と、
前記現像剤担持体からキャリアを磁気的に取り除いて前記攪拌部に戻す除去手段と、を備え、
前記電荷調整手段は、前記攪拌部に補給されるトナー量を調整する手段であることを特徴とする請求項２又は３に記載の画像形成装置。
【請求項５】
感光層を有する感光体と、
前記感光体を第１電位に帯電した後に露光して露光部を第２電位まで除電させることにより前記感光体に静電潜像を形成する静電潜像形成手段と、
単層のトナーを担持して前記感光体に当接して回転する現像剤担持体を有し、前記現像剤担持体に前記第１電位と前記第２電位との中間の第３電位の電圧を印加して前記静電潜像をトナー像に現像する現像手段と、
前記現像剤担持体に担持されたトナーの比電荷を検知可能な電荷検知手段と、
前記現像剤担持体に担持されたトナーの比電荷を調整可能な電荷調整手段と、
前記第１電位と前記第２電位と前記第３電位とのうち少なくとも１つを調整可能な電位調整手段と、を備え、
前記潜像形成手段により形成された画像の解像度は、１２００ｄｐｉ以上であり、
前記静電潜像における白地領域に囲まれた黒ドットの電位と前記第３電位の電位差をＶｃｏｎｔ＿１とし、前記静電潜像における黒地領域に囲まれた白ドットの電位と前記第３電位の電位差をＶｂａｃｋ＿１とし、前記感光層の膜厚をｄ１［ｍ］とし、前記感光層の誘電率をε１［Ｆｍ］とし、前記トナー像の厚さをｄ２［ｍ］とし、トナーの誘電率をε２［Ｆｍ］とし、トナーの比電荷をｑｍ［Ｃ／ｋｇ］とし、単位面積当たりのトナー質量をｍ０［ｋｇ／ｍ２］としたとき、
｜Ｖｃｏｎｔ＿１｜  ＞  ｜ｑｍ｜・ｍ０（（ｄ１／ε１）＋（ｄ２／２ε２））
である第１の関係が画像形成で使用される最小直径の前記黒ドットにおいて維持され、かつ、
｜Ｖｂａｃｋ＿１｜  ＞  （｜ｑｍ｜・ｍ０・ｄ２）／２ε２
である第２の関係が画像形成で使用される最小直径の前記白ドットにおいて維持されるように前記電位調整手段を制御する制御部と、を備えることを特徴とする画像形成装置。
【発明の詳細な説明】
【技術分野】
【０００１】
本発明は、プリンタ、複写機、ファクシミリ、複合機等の画像形成装置に関する。
【背景技術】
【０００２】
特許文献１には、トナーを単層担持した現像剤担持体を感光体に当接させて感光体と等しい周速度でウイズ方向に回転させ、現像剤担持体と感光体との間に電圧を印加して、感光体の静電潜像をトナー像に現像する画像形成装置が提案されている。ここでは、静電潜像におけるトナーを付着させない白地領域を第１電位とし、トナーを付着させる黒地領域を第２電位とするように感光体の帯電及び露光が行われる。そして、トナー像を現像する際の現像剤担持体の電位は、第１電位と第２電位の中間の第３電位に保持される。
【０００３】
単層のトナー層を担持した現像剤担持体を感光体に当接させてトナー像を現像する画像形成装置は、単層のトナー層を静電潜像に移転する／しないによって画像の濃度を二値的に制御する。
【０００４】
このため、静電潜像の白地領域に形成された微小な黒ドットや細い黒ラインにおいても、大面積の黒地領域で設定した現像コントラストＶｃｏｎｔによって、１００％トナーが移転して大面積の黒地領域と等しい濃度でトナーが付着することが期待された。静電潜像の黒地領域に形成された微小な白ドットや細い白ラインにおいても、大面積の白地領域で設定したかぶりとり電圧Ｖｂａｃｋによって、１００％トナーの移転を反発して大面積の白地領域と同様にトナー付着が回避されることが期待された。なお、本願において、白地領域、白ドットは静電潜像におけるトナーを付着させない領域を、黒地領域、黒地ドットは静電潜像においてトナーを付着させる領域をそれぞれ意味している。したがって、黒以外の色のトナーで現像される場合でも、同様に黒地領域、黒ドットと呼ぶ。
【先行技術文献】
【特許文献】
【０００５】
【特許文献１】特開２０１４−１１５５１８号公報
【発明の概要】
【発明が解決しようとする課題】
【０００６】
単層のトナー層を担持した現像剤担持体を感光体に当接させてトナー像を現像する画像形成装置は、静電潜像の微小なドットや細いラインでは、大面積の黒地領域や白地領域のようにはトナーの移転を制御できないことが判明した。静電潜像の白地領域に形成された画像形成に用いる最小サイズの黒ドットでは大面積の黒地領域よりも画像濃度が低下していた。静電潜像の黒地領域に形成された画像形成に用いる最小サイズの白ドットでは大面積の白地領域よりも画像濃度が上昇していた。
【０００７】
本発明は、微小な黒ドットで画像濃度が低下し、微小な白ドットで画像濃度が上昇することを抑制できる画像形成装置を提供することを目的としている。
【課題を解決するための手段】
【０００８】
本発明の画像形成装置は、感光層を有する感光体と、前記感光体を第１電位に帯電した後に露光して露光部を第２電位まで除電させることにより前記感光体に静電潜像を形成する静電潜像形成手段と、前記感光体に当接して回転する現像剤担持体を有し、前記現像剤担持体に前記第１電位と前記第２電位との中間の第３電位の電圧を印加して前記静電潜像をトナー像に現像する現像手段と、を備えるものである。そして、前記潜像形成手段により形成された画像の解像度は、１２００ｄｐｉ以上であり、前記静電潜像における白地領域に囲まれた黒ドットの電位と前記第３電位の電位差をＶｃｏｎｔ＿１とし、前記静電潜像における黒地領域に囲まれた白ドットの電位と前記第３電位の電位差をＶｂａｃｋ＿１とし、前記感光層の膜厚をｄ１［ｍ］とし、前記感光層の誘電率をε１［Ｆｍ］とし、前記トナー像の厚さをｄ２［ｍ］とし、トナーの誘電率をε２［Ｆｍ］とし、トナーの比電荷をｑｍ［Ｃ／ｋｇ］とし、単位面積当たりのトナー質量をｍ０［ｋｇ／ｍ２］としたとき、
｜Ｖｃｏｎｔ＿１｜  ＞  ｜ｑｍ｜・ｍ０（（ｄ１／ε１）＋（ｄ２／２ε２））
である第１の関係が画像形成で使用される最小直径の前記黒ドットにおいて成立し、かつ、
｜Ｖｂａｃｋ＿１｜  ＞  （｜ｑｍ｜・ｍ０・ｄ２）／２ε２
である第２の関係が画像形成で使用される最小直径の前記白ドットにおいて成立している。
【発明の効果】
【０００９】
本発明の画像形成装置では、画像形成で使用される最小直径の黒ドットにおいて第１の関係が成立しているので、微小なドットや細いラインで画像濃度が低下しにくい。また、画像形成で使用される最小直径の白ドットにおいて第２の関係が成立しているので、微小なドットや細いラインの白地で画像濃度が上昇しにくい。
【図面の簡単な説明】
【００１０】
【図１】実施の形態１の画像形成装置の構成の説明図である。
【図２】現像装置の構成の説明図である。
【図３】比較例１における現像コントラストとドットサイズの関係の説明図である。
【図４】孤立ドットの電位計算に用いるモデルの説明図である。
【図５】比較例１における現像条件及びかぶり取り条件の説明図である。
【図６】実施の形態１における現像条件及びかぶり取り条件の説明図である。
【図７】実施の形態２における現像条件及びかぶり取り条件の説明図である。
【図８】実施の形態３における現像装置の構成の説明図である。
【図９】実施の形態３の制御のフローチャートである。
【発明を実施するための形態】
【００１１】
以下、図面を参照して本発明の実施の形態を詳細に説明する。
【００１２】
＜実施の形態１＞
（画像形成装置）
図１は実施の形態１の画像形成装置の構成の説明図である。図１に示すように、画像形成装置１００は、制御部１１０に入力される画像デ−タに基づいて記録材に単色の画像を形成する。
【００１３】
感光ドラム１は、ドラム形状の導電性基体上に光導電性の感光層を形成され、図中矢印方向に回転する。感光ドラム１の回転方向に沿って、コロナ帯電器２、露光装置７、現像装置３、転写帯電器４、ドラムクリーニング装置５、除電ランプ６が配置されている。
【００１４】
コロナ帯電器２は、コロナ放電に伴う荷電粒子を照射して感光ドラム１の表面を一様な暗部電位ＶＤに帯電させる。
【００１５】
露光装置７は、画像を走査線に沿って展開した画像入力信号をＯＮ／ＯＦＦ変調した露光信号で半導体レーザーを作動させてレーザービームを発生させる。レーザービームは、回転ミラーで反射されて、副走査方向に回転する感光ドラム１の表面を主走査方向に走査する。感光ドラム１の表面の露光された部分は、電位が暗部電位ＶＤから明部電位ＶＬに低下して、感光ドラム１の表面に画像入力信号に基づいた静電潜像が形成される。
【００１６】
現像装置３は、トナーとキャリアを含む二成分現像剤を用いて感光ドラム１の静電潜像をトナー像に現像する。
【００１７】
記録材Ｐは、記録材カセット１０から分離ローラ１１によって１枚ずつ取り出されてレジストローラ１２にて待機する。レジストローラ１２は、感光ドラム１のトナー像にタイミングを合わせて転写部Ｔへ記録材Ｐを給送する。転写帯電器４は、感光ドラム１上のトナー像に重ねて搬送される記録材Ｐの裏面にコロナ放電に伴う帯電粒子を照射して感光ドラム１から記録材Ｐへトナー像を静電気的に移転させる。トナー像が転写された記録材Ｐは、感光ドラム１から分離して定着装置１３へ搬送される。
【００１８】
定着装置１３は、トナー像が転写された記録材Ｐを加熱加圧して画像を記録材Ｐに定着させる。画像が定着された記録材Ｐは、画像形成装置１００の外部に排出される。ドラムクリーニング装置５は、感光ドラム１の表面にクリーニングブレードを摺擦させて、感光ドラム１の表面の転写残トナーを回収する。除電ランプ６は、ＬＥＤ光源の照射光で感光ドラム１の表面を一様に露光して感光ドラム１の表面に残留した静電潜像を解消させる。
【００１９】
（現像装置）
図２は現像装置の構成の説明図である。図３は現像プロセスの説明図である。図２中、（ａ）は現像装置の構成、（ｂ）は現像プロセスである。
【００２０】
図２の（ａ）に示すように、現像容器３１には、トナーとキャリアとを混合した二成分現像剤が収容されている。トナー補給ユニット３７は、現像装置３が現像に使用した量に相当する量のトナーを現像装置３に補給する。現像剤は、攪拌羽根３８、３９によって攪拌されつつ現像容器３１内を循環してトナーが負極性、キャリアが正極性にそれぞれ帯電する。攪拌部の一例である現像容器３１は、トナーとキャリアを混合しつつ攪拌してトナーを帯電させる。攪拌羽根３８は、帯電したトナーとキャリアを現像ローラ３３に供給する。
【００２１】
現像剤担持体の一例である現像ローラ３３は、トナーを担持して感光ドラム１に当接して回転する。現像ローラ３３は、ステンレスパイプの表面に厚さ２ｍｍの導電性ゴムの弾性層３３ａが配置されている。導電性ゴムは、カーボンを分散したウレタンゴム又はシリコンゴムである。
【００２２】
現像ローラ３３の内部には非回転のマグネットローラ４１が配置されている。マグネットローラ４１は、現像容器３１の内側空間に向かって、汲み上げ磁極４１ａ、４１ｂ、搬送磁極４１ｃ、４１ｄを配置している。
【００２３】
現像ローラ３３の上方に回収ローラ３２が配置される。現像ローラ３３と回収ローラ３２とは図中の矢印方向に回転する。現像ローラ３３の周速度は、感光ドラム１の周速度と等しく設定されている。
【００２４】
回収ローラ３２は、ステンレスパイプで構成され、内部には非回転のマグネットローラ４２が配置されている。マグネットローラ４２は、現像容器３１の内側空間に向かって、回収磁極４２ａ、分離磁極４２ｂ、４２ｃを配置している。
【００２５】
現像容器３１内の二成分現像剤は、汲み上げ磁極４１ａ、４１ｂの磁力に引き寄せられて現像ローラ３３に担持され、搬送磁極４１ｃ、４１ｄによって、現像ローラ３３と回収ローラ３２の対向部へ搬送される。担持手段の一例であるマグネットローラ４１は、帯電させたトナーとキャリアを現像ローラ３３に磁気的に担持させる。
【００２６】
現像ローラ３３と回収ローラ３２の対向部では、現像ローラ３３に担持されたキャリアが回収ローラ３２へ磁気的に移転することに伴って、現像ローラ３３の表面にトナー粒子一層分、単層のトナー層が形成される。除去手段の一例である回収ローラ３２は、現像ローラ３３からキャリアを磁気的に取り除いて現像容器３１に戻す。現像ローラ３３の表面に接触していたトナーは、現像ローラ３３の表面に発生した鏡像電荷によって現像ローラ３３に担持され、残余の二成分現像剤は回収ローラ３２に移転する。
【００２７】
回収ローラ３２に移転した二成分現像剤は、分離磁極４２ｂ、４２ｃの間に形成される磁界によって回収ローラ３２から分離されて現像容器３１内へ落下する。クリーニングブレード４０は、先端を回収ローラ３２に摺擦させて回収ローラ３２に付着したトナーを現像容器３１内へ回収する。このようにして、現像ローラ３３の表面には、トナー粒子一層分の均一な厚さの帯電したトナー層が形成される。
【００２８】
図２の（ｂ）に示すように、現像装置３では、現像ローラ３３の表面にトナー粒子層を形成して感光ドラム１の表面に重ね合わせる。トナー粒子層を担持した現像ローラ３３は、静電潜像が形成された感光ドラム１に接触して静電潜像をトナー像に現像する。感光ドラム１の露光された領域は、現像ローラ３３の表面よりも相対的にプラス電位になるため、現像ローラ３３から選択的にトナー粒子が移転して静電潜像が現像される。
【００２９】
感光ドラム１の露光されていない領域は、暗部電位ＶＤのままである。これに対して、感光ドラム１の露光された領域は、暗部電位ＶＤから明部電位ＶＬまで除電されて表面電位が低下している。現像ローラ３３には暗部電位ＶＤと明部電位ＶＬの中間に定めた直流電圧Ｖｄｃが印加される。
【００３０】
これにより、感光ドラム１の明部電位ＶＬの領域には、直流電圧Ｖｄｃと明部電位ＶＬの電位差である現像コントラストＶｃｏｎｔが発生してマイナス帯電したトナー粒子が移転する。感光ドラム１の静電潜像の暗部電位ＶＤの領域には、直流電圧Ｖｄｃと暗部電位ＶＤの電位差であるかぶり取りコントラストＶｂａｃｋが発生してマイナス帯電したトナー粒子が移転しない。
【００３１】
実施の形態１では、直流電圧Ｖｄｃと明部電位ＶＬの電位差である現像コントラストＶｃｏｎｔを、現像ローラ３３から感光ドラム１の被露光部へ移転させるために必要な最低限の現像コントラストＶｃｏｎｔの１．４倍に設定している。しかし、現像ローラ３３にはトナーが１層しか担持されていないので、現像コントラストＶｃｏｎｔをどれだけ大きくしても、１層分以上のトナーが感光ドラム１へ移転することはなく、現像された画像濃度が一定に保たれる。
【００３２】
実施の形態１では、現像ローラ３３に担持された全てのトナーが感光ドラム１へ移転しても、静電潜像の現像コントラストＶｃｏｎｔを埋め切らない「非充電条件」で静電潜像が現像される。現像ローラ３３の印加電圧と静電潜像の着色領域電位との電位差である現像コントラストを大きくとることによって、現像ローラ上の全てのトナーを現像しても、潜像電位を全て埋めない状態で現像が終了している。
【００３３】
非充電条件の現像では、環境変動やトナー劣化等の要因により、現像ローラ３３上のトナーのトナー比電荷ｑｍがある程度変化しても、トナーの現像量が変動しない。このため、環境変動やトナー劣化等の要因により、現像ローラ３３上のトナーのトナー比電荷ｑｍが変化しても、静電潜像に対するトナーの現像量が変動しにくい。したがって、充電条件で現像が完了する通常の二成分現像法に比べて、画像濃度が安定する。
【００３４】
実施の形態１では、感光ドラム１の周速度と現像ローラ３３の周速度とが等しい等速接触現像方式を採用しているため、原理上、静電潜像上でのトナーの掃き寄せ現象が発生しない。摺擦摩耗によって現像ローラ３３の寿命が短くなることもない。
【００３５】
以上のプロセスにより、等速接触現像の現像装置３において、静電潜像にトナーが現像されてトナー像として顕像化される。
【００３６】
（鏡像電荷の影響のコンピュータシミュレーション）
図３は孤立ドットの静電潜像のドット径と中心電位の関係の説明図である。図４は孤立ドットの静電潜像に発生する鏡像電荷の説明図である。図５は孤立ドットの静電潜像の現像条件の説明図である。
【００３７】
図１に示すように、静電潜像形成手段の一例である帯電器２及び露光装置７は、静電潜像における白地領域に囲まれた黒ドットと、黒地領域に囲まれた白ドットと、を感光層の表面に形成可能である。電源８は、現像ローラ３３の電位を第１電位と第２電位の中間の第３電位の一例である直流電圧Ｖｄｃに保持して白地領域に対するトナー移転を抑制しつつ黒地領域にトナーを移転させる。
【００３８】
図３に示すように、コンピュータシミュレーションを行ったところ、黒地領域で囲まれた白点である白ドットの直径が小さくなると、白ドットの電位が低下して、灰色に現像されてしまうことが判明した。また、白地領域で囲まれた黒点である黒ドットの直径が小さくなると、黒ドットの電位が上昇して、灰色に現像されてしまうことが判明した。図３の結果は、図２の（ａ）に示す感光ドラム１と現像ローラ３３の当接部を、図４に示すように単純化した現像モデルに基づいて計算されている。
【００３９】
図４に示すように、感光体の一例である感光ドラム（１）は、導体の基層上に感光層を有する。基層に担持された膜厚ｄ１の感光層の上に厚さｄ２の単層のトナー層が均一に分布し、トナー層の上に導体の現像ローラ（３３）が存在する。絶縁体のトナー層と感光層とを挟んで導体の現像ローラ（３３）と感光ドラム（１）の基層が配置され、基層は接地されている。
【００４０】
孤立ドットのドット径に対応する円形領域Ａが感光層の表面に形成されている。感光層の表面が帯電及び露光を受けて、感光層表面に電荷σを有する円形領域Ａが形成される。
【００４１】
円形領域Ａは、電荷σを有しているが、感光層を隔てた基層内とトナー層を隔てた現像ローラ内に鏡像電荷が誘起される結果、鏡像電荷の電荷量に応じて円形領域Ａの中央部の電位が決まる。
【００４２】
このとき、トナー層と感光層の境界に形成された電荷σを有する円形領域Ａに対する一次の鏡像電荷として、感光層表面から距離−２ｄ１離れた位置に電荷−σを有する円形領域Ｂと、感光層表面から距離＋２ｄ２離れた位置に電荷−σを有する円形領域Ｃとが形成される。
【００４３】
そして、円形領域Ｂ、Ｃに対してそれぞれ二次の鏡像電荷が形成される。電荷−σを有する円形領域Ｂから距離（２ｄ１＋ｄ２）×２離れた位置に電荷σを有する円形領域Ｄが形成され、電荷−σを有する円形領域Ｃから距離−（２ｄ２＋ｄ１）×２離れた位置に電荷σを有する円形領域Ｅが形成される。
【００４４】
さらに、同様にして、円形領域Ｄ、Ｅに対してそれぞれ三次の鏡像電荷が形成され、円形領域Ｄ、Ｅの三次の鏡像電荷に対してそれぞれ四次の鏡像電荷が形成される。このように、鏡像電荷が鏡像電荷を形成するプロセスが無限に続き、電荷σを有する円形領域Ａの電位にすべての鏡像電荷による電位が重なって、円形領域Ａの実際の電位が決定される。
【００４５】
鏡像電荷の円形領域Ｂ、Ｃ、Ｄ、Ｅ、・・・の電荷が円形領域Ａの中央に作る電位Ｖは次式となる。次式中、円形領域Ａの半径をＲとし、それぞれの円形領域Ｂ、Ｃ、Ｄ、Ｅ、・・・と感光層表面の距離をｚとする。
【００４６】
【数１】
2017083673.tif 000003
【００４７】
式（１）を用いて、円形領域Ａの電荷に鏡像電荷の円形領域Ｂ、Ｃ、Ｄ、Ｅ、・・・の電荷の寄与を重ね合わせることにより、円形領域Ａの中央の電位を求めた。その結果が図４である。図３は、式（１）を用いて１００００次までの鏡像電荷の寄与を計算したものである。
【００４８】
図３に示すように、１２００ｄｐｉの高解像度の画像形成条件でも、明部電位ＶＬの面積がまとまっていれば、上述した非充電条件が満たされて、現像ローラ３３上の画像領域のトナーが１００％感光ドラム１へ移転する。しかし、明部電位ＶＬの孤立ドットでは、直径が小さいほど電界が弱められて、現像コントラストＶｃｏｎｔが小さくなって、現像ローラ３３から感光ドラム１へトナーが移転する確率が低くなる。同様に、暗部電位ＶＤの孤立ドットでは、直径が小さいほど電界が弱められて、かぶり取りコントラストＶｂａｃｋが小さくなって、現像ローラ３３から感光ドラム１へトナーが移転することを阻止できる確率が低くなる。
【００４９】
図３の計算結果において用いたパラメータは、以下である。
トナー比電荷      ｑｍ＝３０      ［Ｃ／ｋｇ］
暗部電位          ＶＤ＝−６００  ［Ｖ］
明部電位          ＶＬ＝−２００  ［Ｖ］
現像ローラ電位  Ｖｄｃ＝−４６８  ［Ｖ］
感光層膜厚        ｄ１＝２０      ［μｍ］
トナー層厚        ｄ２＝８．６    ［μｍ］
感光層の誘電率    ε１＝３ε０
トナー誘電率      ε２＝３ε０
【００５０】
次に、図４のモデルを元に、感光ドラム１の画像部でトナーが１００％現像され、非画像部ではトナーが現像されない条件を求める。図４のトナー層中における電界を表す式は次式となる。
【００５１】
【数２】
2017083673.tif 000004
【００５２】
式（２）においてＥ＝０となるｘ＝ｘ０が存在する。静電潜像の現像時において、ｘ０よりも感光ドラム１側に位置するトナーは現像され、ｘ０よりも現像ローラ３３側に位置するトナーは現像ローラ３３上に残って静電潜像の現像が完了する。
【００５３】
現像ローラ３３上のトナーが１００％現像されるためには、ｘ０＞ｄ２であればよく、また、現像スリーブ上のトナーが１００％現像されないためには、ｘ０＜０であればよい。
【００５４】
したがって１００％現像するための現像コントラストＶｃｏｎｔは、式（２）にｘ０＞ｄ２を代入して変形することにより、次式となる。
【００５５】
【数３】
2017083673.tif 000005
【００５６】
また、現像ローラ３３上のトナーが１００％感光ドラム１に現像されないためのかぶり取りコントラストＶｂａｃｋは、式（２）にｘ０＜０を代入して変形することにより、次式となる。
【００５７】
【数４】
2017083673.tif 000006
【００５８】
ここで、ｑｍ［Ｃ／ｋｇ］はトナー比電荷であり、ｍ０［ｋｇ／ｍ２］は単位面積当たりのトナー載り量である。式（３）と式（４）とを計算して、図３の電位曲線に重ねたものが図５のグラフである。
【００５９】
図５に示すように、６００ｄｐｉの解像度において、必要な現像コントラストＶｃｏｎｔと必要なＶｂａｃｋとを同時に確保できるように、現像ローラ３３の電位Ｖｄｃを、Ｖｄｃ＝−４６８Ｖに設定した場合を考える。ここで、黒ドット部に印加された現像コントラストの絶対値｜Ｖｃｏｎｔ｜を｜Ｖｃｏｎｔ＿１｜とし、白ドットに印加されたかぶり取りコントラストの絶対値｜Ｖｂａｃｋ｜を｜Ｖｂａｃｋ＿１｜と定義する。そして、黒ドット部にトナーが１００％移転する最小の現像コントラストの絶対値を｜Ｖｃｏｎｔ＿ｍｉｎ｜とし、白ドット部においてトナーの移転を１００％阻止できる最小のかぶり取りコントラストの絶対値を｜Ｖｂａｃｋ＿ｍｉｎ｜と定義する。
【００６０】
６００ｄｐｉの解像度では、最小ドット径は直径４２μｍである。図５に示すように、６００ｄｐｉにおいては、Ｖｄｃ＝−４６８Ｖに設定したとき、｜Ｖｃｏｎｔ＿ｍｉｎ｜、｜Ｖｂａｃｋ＿ｍｉｎ｜について、次の２つの式が同時に満たされている。
｜Ｖｃｏｎｔ＿１｜  ＞  ｜Ｖｃｏｎｔ＿ｍｉｎ｜    ・・・式（５）
｜Ｖｂａｃｋ＿１｜  ＞  ｜Ｖｂａｃｋ＿ｍｉｎ｜    ・・・式（６）
【００６１】
したがって、６００ｄｐｉの解像度で画像形成を行う場合、最も現像が困難な直径４２μｍの黒ドット部でも、すべてのトナーが現像される。そして、最も不必要なトナーが付着し易い直径４２μｍの白ドット部でも、トナーが１００％現像されないという１００％現像条件が成立する。このため、６００ｄｐｉの解像度であれば、小さなドットも細いラインでも１００％現像条件が成立している。
【００６２】
しかし、１２００ｄｐｉの解像度では、最小ドット径は直径２１μｍである。図５に示すように、直流電圧Ｖｄｃ＝−４６８Ｖに設定したとき、直径２１μｍの黒ドットでは、｜Ｖｃｏｎｔ＿ｍｉｎ｜を確保できないので、必要な量のトナーを感光ドラムへ移動させることができない。直径２１μｍの白ドットでは、｜Ｖｂａｃｋ＿ｍｉｎ｜を確保できないので、トナーが感光ドラムへ相当量移転して白地を形成できない。直流電圧Ｖｄｃを−４６８Ｖから上下に変化させても、上記の式（５）、式（６）を同時に満たすことができない。
【００６３】
仮に現像ローラ３３の電位Ｖｄｃを５２０Ｖに変更すれば、｜Ｖｃｏｎｔ＿１｜＞｜Ｖｃｏｎｔ＿ｍｉｎ｜という条件は満たされる。しかし、｜Ｖｂａｃｋ＿１｜＜｜Ｖｂａｃｋ＿ｍｉｎ｜となって、黒ドット部ではすべてのトナーが現像されるが、白ドット部でもトナーが現像されて（かぶって）しまう。
【００６４】
逆に、現像ローラ３３の電位Ｖｄｃを３９０Ｖに変更すれば、｜Ｖｂａｃｋ＿１｜＞｜Ｖｂａｃｋ＿ｍｉｎ｜の条件は満たされる。しかし、｜Ｖｃｏｎｔ＿１｜＜｜Ｖｃｏｎｔ＿ｍｉｎ｜となって、白ドット部ではトナーが現像されないが、黒ドット部ですべてのトナーを現像することができない。
【００６５】
そこで、実施の形態１では、トナー帯電量（トナー比電荷ｑｍ）を低下させて、比較例１よりも｜Ｖｃｏｎｔ＿ｍｉｎ｜、｜Ｖｂａｃｋ＿ｍｉｎ｜を小さくした。これにより、１２００ｄｐｉの解像度でも、上記式（５）、式（６）の関係が成立するようにした。
【００６６】
（実施の形態１における設定）
図６は実施の形態１における現像条件及びかぶり取り条件の説明図である。実施の形態１では、トナー帯電量（トナー比電荷ｑｍ）と感光層の膜厚ｄ１とを変更して、１２００ｄｐｉの解像度の孤立した黒ドット部においてすべてのトナーが現像され、かつ、白ドット部ではトナーが１００％現像されない１００％現像条件を成立させた。
トナー比電荷      ｑｍ＝３５→２０        ［μＣ／ｇ］
暗部電位          ＶＤ＝−６００          ［Ｖ］
明部電位          ＶＬ＝−２００          ［Ｖ］
現像ローラ電位  Ｖｄｃ＝−４６８→−４４７［Ｖ］
感光層の膜厚      ｄ１＝２０→１０        ［μｍ］
トナー層の厚さ    ｄ２＝８．６            ［μｍ］
感光層の誘電率    ε１＝３ε０
トナーの誘電率    ε２＝３ε０
【００６７】
図６に示すように、感光ドラム１の感光層の膜厚を２０μｍから１０μｍへ薄くすると、孤立した白ドット部及び黒ドット部の直径が小さくなっても、ドット部の中央の電位の減衰が小さくなる。このため、１２００ｄｐｉの解像度の最小ドット径２１μｍにおいても、｜Ｖｃｏｎｔ＿１｜＋｜Ｖｂａｃｋ＿１｜の値が大きくなって、１００％現像条件が成立し易くなる。
【００６８】
また、上述した式（３）と式（４）から、トナー帯電量（トナー比電荷ｑｍ）が小さいほど、｜Ｖｃｏｎｔ＿ｍｉｎ｜と｜Ｖｂａｃｋ＿ｍｉｎ｜は小さくなる。このため、実施の形態１では、現像装置３内部のトナーとキャリアの質量比を変更して、Ｑ／Ｍ＝−３５［μＣ／ｇ］だったものをＱ／Ｍ＝−２０［μＣ／ｇ］に調整した。この設定で上述した式（３）と式（４）を計算すると、｜Ｖｃｏｎｔ＿ｍｉｎ｜＝１２１Ｖ、｜Ｖｂａｃｋ＿ｍｉｎ｜＝３１Ｖとなる。
【００６９】
この結果を図６のドットの電位のグラフに重ね合わせると、１２００ｄｐｉの最小ドット径である２１μｍにおいて、｜Ｖｃｏｎｔ＿１｜＋｜Ｖｂａｃｋ＿１｜の値が｜Ｖｃｏｎｔ＿ｍｉｎ｜＋｜Ｖｂａｃｋ＿ｍｉｎ｜の値よりも大きくなる。そこで、現像ローラ電位Ｖｄｃを−４６８Ｖから−４４７へ調整して、上記式（５）、式（６）の関係を成立させた。
【００７０】
このとき、第２電位と第３電位の電位差をＶｃｏｎｔ＿１とし、第１電位と第３電位の電位差をＶｂａｃｋ＿１とする。
【００７１】
以上説明したように、実施の形態１では、感光層の膜厚をｄ１［ｍ］とし、感光層の誘電率をε１［Ｆｍ］とし、トナー層の厚さをｄ２［ｍ］とし、トナーの誘電率をε２［Ｆｍ］とし、トナーの比電荷をｑｍ［Ｃ／ｋｇ］とし、単位面積当たりのトナー質量をｍ０［ｋｇ／ｍ２］とする。
【００７２】
このとき、第１の関係は、｜Ｖｃｏｎｔ＿１｜  ＞  ｜ｑｍ｜・ｍ０（（ｄ１／ε１）＋（ｄ２／２ε２））である。第２の関係は、｜Ｖｂａｃｋ＿１｜  ＞  （｜ｑｍ｜・ｍ０・ｄ２）／２ε２である。そして、画像形成装置１００においては、第１の関係が画像形成で使用される最小直径の黒ドットにおいて成立し、かつ、第２の関係が画像形成で使用される最小直径の白ドットにおいて成立している。
【００７３】
（実施の形態１の効果）
実施の形態１では、解像度が１２００ｄｐｉであっても、黒ドット部におけるＶｃｏｎｔ＿１はＶｃｏｎｔ＿ｍｉｎより大きいため、現像されたトナー像はトナー密度が十分である。白ドット部におけるＶｂａｃｋ＿１がＶｂａｃｋ＿ｍｉｎより大きいため、不必要なトナーが付着しない白地を形成できる。したがって、１２００ｄｐｉの解像度で形成されたドットやラインであっても大面積の黒領域及び白地領域と等しい画像濃度を再現できる。
【００７４】
＜実施の形態２＞
図７は実施の形態２における現像条件及びかぶり取り条件の説明図である。実施の形態２では、図５の状態から、感光層の膜厚ｄ１と暗部電位ＶＤと明部電位ＶＬとを変更して、１２００ｄｐｉの孤立した黒ドット部及び白ドット部において、実施の形態１と同様に１００％現像条件を成立させた。
【００７５】
実施の形態２における各種パラメータの変更内容は以下のとおりである。
トナー比電荷      ｑｍ＝３５                ［μＣ／ｇ］
暗部電位          ＶＤ＝−６００→−７００  ［Ｖ］
明部電位          ＶＬ＝−２００→−１００  ［Ｖ］
現像ローラ電位  Ｖｄｃ＝−４６８            ［Ｖ］
感光層の膜厚      ｄ１＝２０→１０          ［μｍ］
トナー層の厚さ    ｄ２＝８．６              ［μｍ］
感光層の誘電率    ε１＝３ε０
トナーの誘電率    ε２＝３ε０
【００７６】
図１に示すように、帯電手段の一例である帯電器２は、感光ドラム１を帯電電位に帯電させる。露光手段の一例である露光装置７は、帯電電位に帯電された感光ドラム１を露光して露光電位に変化させる。電位調整手段の一例である制御部１１０は、帯電器２を制御して帯電電位の一例である暗部電位ＶＤを調整し、露光装置７を制御して露光電位の一例である明部電位ＶＬを調整する。
【００７７】
図７に示すように、実施の形態２では、暗部電位ＶＤ＝−７００Ｖ、明部電位ＶＬ＝−１００Ｖに設定し、感光層の膜厚ｄ１＝１０μｍに設定した。これにより、孤立した１ドット着色画像において画像濃度が１００％濃度画像面（ベタ画像）と同じ濃度になり、かつ、孤立した１ドット非着色画像においてトナーが現像されなくなった。比較例１よりも感光層の膜厚を薄く、暗部電位ｍｐ絶対値｜ＶＤ｜を大きく、明部電位の絶対値｜ＶＬ｜を小さくすることで、２１μｍの孤立ドットにおいても｜ＶＤ｜と｜ＶＬ｜とが大きくなって非充電条件を成立させることができた。
【００７８】
＜実施の形態３＞
図８は実施の形態３における現像装置の構成の説明図である。図９は実施の形態３の制御のフローチャートである。図８に示すように、実施の形態３における現像装置３は、トナー補給ユニット３７及び表面電位計３４が付加された以外は実施の形態１の現像装置と同一である。したがって、図８中、実施の形態１と共通する構成には図２と共通の符号を付して重複する説明を省略する。
【００７９】
図８に示すように、表面電位計３４は、回収ローラ３２下流側かつ現像領域上流側で現像ローラ３３に対向配置される。電荷検知手段の一例である表面電位計３４は、現像ローラ３３に担持されたトナーの比電荷を検知可能である。
【００８０】
図８を参照して図９に示すように、表面電位計３４は、現像ローラ３３に担持されたトナーのトナー帯電量（トナー比電荷ｑｍ）に応じた情報を出力する（Ｓ１１）。トナー帯電量評価ユニット３５は、表面電位計３４の出力に基づいて現像ローラ３３に担持されたトナーのトナー比電荷ｑｍを算出する（Ｓ１２）。
【００８１】
非充電評価ユニット３６は、算出したトナー比電荷ｑｍが上述した式（４）、式（５）の非充電条件を満たしているかを判定する（Ｓ１３）。非充電評価ユニット３６は、非充電条件を満たしていない場合（Ｓ１３のｎｏ）、トナー補給ユニット３７によって現像容器３１にトナーを補給する（Ｓ１４）。
【００８２】
トナー補給ユニット３７は、現像容器３１に補給されるトナー量を調整する。トナー補給ユニット３７が現像容器３１にトナーを補給すると、現像装置３内の現像剤のトナー重量比率（Ｔ／Ｄ比）が高まって、トナー比電荷ｑｍが減少する。制御部１１０は、以上のプロセスを、非充電条件を満たすまで（Ｓ１３のｙｅｓ）繰り返して、トナー比電荷ｑｍを変更可能である。
【００８３】
トナー帯電量評価ユニット３５が表面電位計３４の出力情報に基づいてトナー比電荷ｑｍを算出する方法について説明する。現像ローラ３３上に一様にトナーが載っている場合、現像ローラ３３を導体とみなせば、表面電位Ｖは次式となる。
【００８４】
【数５】
2017083673.tif 000007
ｍ０：現像ローラ３３上の単位面積当たりトナー量
ε２：トナー誘電率
ｄ２：トナー層の層厚
【００８５】
現像装置３では、トナー比電荷ｑｍによらずに同一の単位面積当たりトナー量を現像ローラ３３上にコートできる方式であるため、ｍ０とｄ２は常に一定となる。したがって、表面電位計３４によって表面電位Ｖを測定すれば、上記式（６）よりトナー比電荷ｑｍを算出できる。
【００８６】
実施の形態３では、上記の計算によりトナー比電荷ｑｍを見積もっているが、ＶとＱ／Ｍの対応関係を、あらかじめルックアップテーブルとして、トナー帯電量評価ユニット３５内部のメモリに保持してもよい。表面電位の測定結果をルックアップテーブルと参照してトナー比電荷ｑｍを求めても良い。ルックアップテーブルに入力するデ−タは、上式のような計算結果でも良いし、あるいはあらかじめ実験した結果でも良い。
【００８７】
以上説明したように、実施の形態３では、電荷調整手段の一例であるトナー補給ユニット３７は、現像ローラ３３に担持されたトナーの比電荷を調整可能である。電位調整手段の一例である帯電器２、露光装置７、電源８は、第１電位と第２電位と第３電位とを調整可能である。
【００８８】
制御手段の一例である制御部１１０は、表面電位計３４の出力に基づいて、第１の関係が最小直径の黒ドットにおいて維持されるように、帯電器２、露光装置７、電源８、トナー補給ユニット３７のうち少なくとも１つを制御する。制御部１１０は、第２の関係が最小直径の白ドットにおいて維持されるように、帯電器２、露光装置７、電源８、トナー補給ユニット３７のうち少なくとも１つを制御する。
【００８９】
＜実施の形態４＞
実施の形態４では、同一の画像形成装置において、６００ｄｐｉ（最小ドット径４２［μｍ］）の通常の解像度の画像形成条件と、１２００ｄｐｉ（最小ドット径２１［μｍ］）の高解像度の画像形成条件とを切り替えて実行可能である。
【００９０】
図１に示すように、画像形成装置１００は、操作パネル１１１に設定画面を表示して６００ｄｐｉの画像形成モードと１２００ｄｐｉ（１／１２００インチ）の画像形成モードとを切り替え設定可能である。オペレータは、操作パネル１１１に解像度の設定画面を呼び出して６００ｄｐｉと１２００ｄｐｉとを切り替え設定する。
【００９１】
６００ｄｐｉの画像形成モードにおいて、露光装置７は、感光ドラム１の表面を直径５０μｍのビームスポットで走査して最小ドット径４２μｍの画像を形成する。１２００ｄｐｉの画像形成モードにおいては、露光装置７は、感光ドラム１の表面を直径３０μｍのビームスポットで走査して最小ドット径２１μｍの画像を形成する。
【００９２】
実施の形態４では、実行部の一例である制御部１１０は、画像の最小ドット径が４２μｍ以上の第一長さである第一モードと画像の最小ドット径が４２μｍ未満２１μｍ以上の第二長さである第二モードとを切り替えて実行可能である。制御部１１０は、第二モードの画像形成では、第一モードの画像形成よりも第一電位と第二電位の電位差の絶対値が大きくなるようにコロナ帯電器２と露光装置７との少なくとも一方を制御する。制御部１１０は、第二モードの画像形成では、第一モードの画像形成よりも現像ローラ３３に担持されるトナーのトナー帯電量が小さくなるようにトナー補給ユニット３７を制御する。
【００９３】
＜比較例２＞
一般的な二成分現像法では、現像スリーブは感光ドラムの表面から２００〜３００μｍの間隔を隔てて配置され、現像スリーブの内側の感光ドラム対向位置には磁極が配置されている。二成分現像剤を攪拌して、非磁性トナーと磁性キャリアとを摩擦帯電させた後に二成分現像剤を現像スリーブに磁気的に担持させている。現像スリーブの内側の磁極によって、現像スリーブと感光ドラムの対向間隔に、トナーが静電気的に付着したキャリアの磁気ブラシが形成されて感光ドラムを摺擦する。この状態で現像スリーブに交流電圧と直流電圧とを印加することで、三次元的なトナーの移動を伴って静電潜像がトナー像に現像される。
【００９４】
二成分現像法では、現像は、静電潜像の現像コントラストがトナー電荷により充電される充電条件を満たした段階で終了する。二成分現像法の特徴は、比較的均一な画像が得られることが挙げられる。
【００９５】
＜比較例３＞
一般的な一成分現像法でも、現像スリーブは感光ドラムの表面から２００〜３００μｍの間隔を隔てて配置され、現像スリーブの内側の感光ドラム対向位置には磁極が配置されている。一成分現像法では、現像スリーブに搬送されたトナーは、現像スリーブに摺擦する摩擦帯電ブレードとの接触によって帯電される。現像スリーブ表面に薄層状にコートされたトナーは、現像スリーブの回転に伴って感光ドラムに対向する現像領域まで搬送される。
【００９６】
現像領域では、現像スリーブに交流電圧と直流電圧が印加され、現像スリーブと感光ドラムの対向間隔で交流電圧によってトナーを三次元的にジャンピング移動させて静電潜像を現像する。従来の一成分現像法では、現像は、静電潜像の現像コントラストがトナー電荷により所定割合だけ充電される充電条件を満たした段階で終了する。
【００９７】
＜実施の形態５＞
実施の形態５では、図２に示す現像装置３において、二成分現像剤に代えて磁性トナーの一成分現像剤を用いる。現像装置３は、現像ローラ３３に摺擦する摩擦帯電プレートを配置して現像ローラ３３上で磁性トナーを帯電可能とすることで、磁性キャリアを含まない一成分現像剤で使用することも可能である。現像ローラ３３に磁気的に担持させた磁性トナーを摩擦帯電ブレードに摺擦して帯電させる。その後、現像ローラ３３に非接触で鏡像電荷を生じない磁性トナーは、回収ローラ３２によって磁気的に剥ぎ取られて、現像ローラ３３には、実施の形態１と同様に、一層の磁性トナーが隙間なく担持されてトナー粒子の膜が形成される。
【００９８】
実施の形態４では、実施の形態１と同様に、現像領域のトナーには磁力が作用しない。現像ローラ３３に膜状に担持されたトナーと感光ドラムの静電潜像との間で直流電圧に駆動された一次元的なトナー粒子の移動が発生して静電潜像が現像される。
【００９９】
＜その他の実施の形態＞
本発明は、トナーを静電気的に担持させた現像ローラを像担持体に当接させて静電潜像を現像する限りにおいて、実施形態の構成の一部または全部を、その代替的な構成で置き換えた別の実施形態でも実施できる。
【０１００】
したがって、実施の形態に記載されている構成部品の寸法、材質、形状、その相対配置などは、特に特定的な記載が無い限りは、本発明の範囲をそれらのみに限定する趣旨のものではない。像担持体と現像ローラとの間に交流電圧が印加される場合でも、交流電圧の振幅が十分に小さければ本発明を実施可能である。
【０１０１】
画像形成装置は、１ドラム型／タンデム型の区別なく実施できる。感光体の数、帯電方式、静電潜像の形成方式、転写方式、定着方式等の区別無く実施できる。ここでは、トナー像の形成／転写に係る主要部のみを説明しているが、本発明は、必要な機器、装備、筐体構造を加えて、プリンタ、各種印刷機、複写機、ＦＡＸ、複合機等、種々の用途の画像形成装置で実施できる。
【符号の説明】
【０１０２】
１  感光ドラム、２  コロナ帯電器、３  現像装置
４  転写帯電器、５  ドラムクリーニング装置
６  除電ランプ、７  露光装置、８  電源、１０  記録材カセット
１１  分離ローラ、１２  レジストローラ、１３  定着装置
１００  画像形成装置、１１０  制御部、３１  現像容器
３２  回収ローラ、３３  現像ローラ、３４  表面電位計
３５  トナー帯電量評価ユニット、３６  非充電評価ユニット
３７  トナー補給ユニット、３８、３９  攪拌羽根
４０  クリーニングブレード、４１、４２  マグネットローラ
【図１】
2017083673.tif 000008
【図２】
2017083673.tif 000009
【図３】
2017083673.tif 000010
【図４】
2017083673.tif 000011
【図５】
2017083673.tif 000012
【図６】
2017083673.tif 000013
【図７】
2017083673.tif 000014
【図８】
2017083673.tif 000015
【図９】
2017083673.tif 000016